(57)【要約】【課題】  検査装置の寝台の天板の上で仰向けになって寝る被検査者が、両腕を身長方向上方側に伸ばした姿勢を楽且つ安全にとることを可能とし、両腕を身長方向上方側に伸ばした姿勢を楽且つ安全に維持することを可能とする医療検査用枕を提供すること。【解決手段】  被検査者が頭部をのせる頭載置部１１と、頭載置部１１の両側にある腕載置部１５Ｌ、１５Ｒとから、医療検査用枕１０を形成し、腕載置部１５Ｌ、１５Ｒには、上腕載置面１６Ｌ、１６Ｒと、前腕載置面１７Ｌ、１７Ｒとを設け、前腕載置面１７Ｌ、１７Ｒは、上腕載置面１６Ｌ、１６Ｒの前端に連続させ、上腕載置面１６Ｌ、１６Ｒが底面に対して傾斜する角度α°と、前腕載置面１７Ｌ、１７Ｒが底面に対して傾斜する角度β°と、の間に、５５°≧α°≧３５°、４０°≧β°≧２０°、α°＞β°の関係を成立させる。【選択図】  図１
0003196496.tif 000002
【実用新案登録請求の範囲】
【請求項１】
医療用検査装置の寝台の天板の上で仰向けに寝る被検査者が、自分の頭部を固定するために天板の上に置いて使用する医療検査用枕であって、
被検査者が頭部をのせる窪みからなる頭載置部と、当該頭載置部の左右両側に形成された腕載置部と、を有し、
左右の各前記腕載置部は、上腕載置面をなす傾斜面と、前腕載置面をなす傾斜面と、をそれぞれ有し、当該前腕載置面は、当該上腕載置面の前端に連続して形成されており、
前記上腕載置面が底面に対して傾斜する角度α°と、前記前腕載置面が底面に対して傾斜する角度β°と、の間に、
５５°≧α°≧３５°
４０°≧β°≧２０°
α°＞β°
の関係が成立していることを特徴とする医療検査用枕。
【請求項２】
平面部が、前記腕載置部の後端側に設けられており、当該平面部の平面と、前記前腕載置部の傾斜面と、が、連続していることを特徴とする請求項１に記載の医療検査用枕。
【考案の詳細な説明】
【技術分野】
【０００１】
本考案は、医療用検査装置の寝台の天板の上で仰向けになって寝る被検査者が、自分の頭部を固定する際に使用する医療検査用枕に関する。
【背景技術】
【０００２】
近年、医療現場において、コンピュータ断層撮影法（ＣＴ）や核磁気共鳴画像法（ＭＲＩ）等の検査技術が広く使われるようになっている。
一般に、ＣＴ検査やＭＲＩ検査等を行う場合、被検査者は、検査装置の寝台の天板の上に仰向けになって寝る。このとき、鮮明な画像を取得するために、天板の上の被検査者は、頭部を医療検査用枕にのせて固定する。
【０００３】
本明細書において、「ＣＴ検査やＭＲＩ検査等で用いる医療用検査装置」のことを、特に断らない限り、単に「検査装置」と言うものとし、「ＣＴ検査やＭＲＩ検査等で用いる医療用検査装置の寝台の天板」のことを、特に断らない限り、単に「天板」と称することとする。
被検査者が頭部を固定するために使用する一般的な医療検査用枕は、細長い直方体をなしていることが多い（例えば、非特許文献１を参照）。この一般的な検査用枕の左右方向の横幅は、被検査者の頭部の幅とほぼ等しい長さか、あるいは、被検査者の頭部の幅よりも若干長い長さとなっている。
【０００４】
なお、以下の本明細書において、「被検査者が頭部を固定するために使用する一般的な医療検査用枕」のことを、特に断らない限り、単に「一般的医療検査用枕」と称することとする。
また、被検査者が頭部を固定するために設計された医療検査用枕として、医療用ヘッドネックサポートが提唱されている（特許文献１を参照）。
【０００５】
この医療用ヘッドネックサポートは、患者の頸部分を乗せるための凸状の頸支持面が形成されている頸支持部と、頸支持面の後端に連続して患者の後頭部を乗せるために湾曲状の後頭部支持面が形成されている頭支持部と、後頭部支持面の後端に連続して患者の頭頂部に当接させるための頭頂部当接面が形成されている後壁部とを有し、頸支持面は、前後方向においてはその途中位置において頂部が形成される凸曲面によって規定され、幅方向においては左右対称な凹曲面によって規定される三次元曲面であり、後頭部支持面は、前後方向においてはその途中位置において最深部が形成される凹曲面によって規定され、幅方向においてはその中央において最深部が形成される左右対称な凹曲面によって規定される三次元曲面であり、頭頂部当接面は、前後方向においては凹曲線によって規定され、幅方向においては左右対称な凹曲面によって規定される三次元曲面であり、後壁部における頭頂部当接面の後端縁部は、幅方向においてその中央が後端縁部最深部となる左右対称な凹曲面状に切り取られた切り取り部を備えている。
【０００６】
医療用ヘッドネックサポートの左右方向の横幅は、被検査者の頭部の幅よりも僅かに短い長さとなっている。
【先行技術文献】
【特許文献】
【０００７】
【特許文献１】特開２０１２−１４３４１１号公報（請求項１、図１、図４）
【非特許文献】
【０００８】
【非特許文献１】アマゾンジャパン株式会社、“角マクラ  黒・ビニール（１２．５×３４．５×８ｃｍ）”、［ｏｎｌｉｎｅ］、［平成２６年１２月１１日検索］、インターネット＜ＵＲＬ：ｈｔｔｐ：／／ｗｗｗ．ａｍａｚｏｎ．ｃｏ．ｊｐ／ｇｐ／ｐｒｏｄｕｃｔ／Ｂ００９ＲＫＢＧＯＳ／ｒｅｆ＝ｓ９＿ｓｉｍｈ＿ｂｗ＿ｐ２０１＿ｄ０＿ｉ１？ｐｆ＿ｒｄ＿ｍ＝ＡＮ１ＶＲＱＥＮＦＲＪＮ５＆ｐｆ＿ｒｄ＿ｓ＝ｍｅｒｃｈａｎｄｉｓｅｄ−ｓｅａｒｃｈ−１２＆ｐｆ＿ｒｄ＿ｒ＝１８ＮＹＫ２Ｄ１ＣＦＴＦ４Ｐ０ＹＧ７ＸＭ＆ｐｆ＿ｒｄ＿ｔ＝１０１＆ｐｆ＿ｒｄ＿ｐ＝１８００３０５０９＆ｐｆ＿ｒｄ＿ｉ＝２３５６９４５０５１＞
【考案の概要】
【考案が解決しようとする課題】
【０００９】
前述した既存の一般的医療検査用枕や医療用ヘッドネックサポートには、以下に述べる問題点が存在する。
まず、被検査者は、ＣＴ検査等を受ける際、撮影する画像に応じて、天板の上で様々な姿勢をとらねばならない。天板の上に寝た被検査者がとる典型的な姿勢としては、例えば、次の２つの姿勢を挙げることができる。
【００１０】
１番目の姿勢は、天板の上に仰向けに寝たまま両腕を体側に沿って伸ばした姿勢である。２番目の姿勢は、天板の上に仰向けに寝たまま両腕を身長方向上方側に伸ばした姿勢である。
なお、本明細書において、「天板の上に仰向けに寝たまま両腕を身長方向上方側に伸ばした姿勢」とは、「天板の上に仰向けに寝たまま両腕を身長方向上方側（すなわち、身長方向頭側）に伸ばして万歳をする姿勢であり、手の甲を天板側に向けて、両腕の肘を外側に軽く曲げた姿勢」のことを称することとする。そして、本明細書において、「天板の上に仰向けに寝たまま両腕を身長方向上方側に伸ばした姿勢」のことを、特に断らない限り、単に「両腕上伸姿勢」と称することとする。
【００１１】
一般的検査用枕に頭部をのせた被検査者が、両腕上伸姿勢をとっている場合を考える。前述したように、一般的検査用枕の横幅は狭い。このため、被検査者は、上腕や前腕を一般的検査用枕の上にのせることができず、両腕を天板の面上につけておくことができない。結局、被検査者は、上腕や前腕を宙に浮かせた状態をとらざるを得ない。このため、被検査者にとって、検査を受ける間、両腕上伸姿勢をとり続けることは、身体的に大きな負担となってしまう。
【００１２】
両腕上伸姿勢をとっている被検査者が、上腕や前腕を天板の面上に無理につけようとすると、肩関節を痛めることになりかねない。場合によっては、肩関節が脱臼する原因になってしまう。特に、被検査者が、関節が固くなっている老齢者や、骨格がしっかりしていない子供である場合、このような肩関節の事故を起こす可能性が高くなる。
医療用ヘッドネックサポートに頭部をのせた被検査者が、両腕上伸姿勢をとる場合も、同様である。
【００１３】
本考案は、上記問題を解決するものであり、その目的とするところは、医療用検査装置の寝台の天板の上で仰向けになって寝る被検査者が、両腕を身長方向上方側に伸ばした姿勢を、楽に、しかも安全にとることを可能とし、また、この姿勢を、楽に、しかも安全に維持することを可能とする医療検査用枕を提供することである。
【課題を解決するための手段】
【００１４】
本考案は、その課題を解決するために以下のような構成をとる。請求項１の考案に係る医療検査用枕は、医療用検査装置の寝台の天板の上で仰向けに寝る被検査者が、自分の頭部を固定するために天板の上に置いて使用する医療検査用枕であって、被検査者が頭部をのせる窪みからなる頭載置部と、当該頭載置部の左右両側に形成された腕載置部と、を有し、左右の各前記腕載置部は、上腕載置面をなす傾斜面と、前腕載置面をなす傾斜面と、をそれぞれ有し、当該前腕載置面は、当該上腕載置面の前端に連続して形成されており、前記上腕載置面が底面に対して傾斜する角度α°と、前記前腕載置面が底面に対して傾斜する角度β°と、の間に、
５５°≧α°≧３５°    ・・・（１）
４０°≧β°≧２０°    ・・・（２）
α°＞β°    ・・・（３）
の関係が成立していることを特徴とする。
【００１５】
検査装置の寝台の天板の上で仰向けに寝る被検査者が、医療検査用枕の頭載置部の窪みに頭部をのせ、両腕上伸姿勢をとるものとする。このとき、被検査者は、上腕を上腕載置面にのせ、前腕を前腕載置面にのせておくことができる。このため、被検査者は、上腕や前腕を宙に浮かせておく必要が無くなり、両腕上伸姿勢を楽にとり続けることができる。また、上腕と前腕が、腕載置部によって下から支承されているので、何かの拍子に肩等に無理な力が加わることを容易に防止することができ、肩関節を痛めることも容易に防止することができる。
【００１６】
本願考案者が得た知見によれば、上腕載置面が医療検査用枕の底面に対して傾斜する角度α°が、５５°≧α≧３５°であれば、両腕上伸姿勢をとる被検査者は、上腕を楽に上腕載置面にのせておくことができ、肩に無理な力が働くこともない。そして、本願考案者が得たさらなる知見によれば、被検査者の肩への負荷をより一層小さくする観点から、角度α°が、４８°≧α≧４２°であることが、より一層好ましい。
【００１７】
本願考案者が得た知見によれば、前腕載置面が医療検査用枕の底面に対して傾斜する角度β°が、４０°≧β≧２０°であり、α°＞β°であれば、両腕上伸姿勢をとる被検査者は、軽く肘を曲げて楽に前腕を前腕載置面にのせておくことができ、腕全体を腕載置部によって支承することができる。そして、本願考案者が得たさらなる知見によれば、被検査者の肩への負荷をより一層小さくする観点から、角度β°が、３３°≧β≧２７°であることが、より一層好ましい。
【００１８】
本願考案者が日本人の体格データに基づいて計算したところによれば、医療検査用枕は、以下の寸法を有していることが好ましい。
すなわち、頭載置部の左右方向の横幅は、１８〜２０ｃｍであることが、医療検査用枕を使用する日本人にとって好ましい。頭載置部のうち被検査者の後頭部がのる部分の底面からの高さは、４〜６ｃｍであることが、医療検査用枕を使用する日本人にとって好ましい。左右の各腕載置部の左右方向の横幅は、１６ｃｍ以上の長さであることが、医療検査用枕を使用する日本人にとって好ましい。左右の上腕載置面においては、上腕載置面の傾斜面に沿った前後方向の長さが、２１〜２５ｃｍであることが、医療検査用枕を使用する日本人にとって好ましい。左右の前腕載置面においては、前腕載置面の傾斜面に沿った前後方向の長さが、２２〜２６ｃｍであることが、医療検査用枕を使用する日本人にとって好ましい。あるいは、前腕載置面の傾斜面に沿った前後方向の長さが、２６ｃｍ以上の長さであっても良い。前腕載置面の傾斜面に沿った前後方向の長さが長くなれば、両腕上伸姿勢をとる被検査者は、手の甲を前腕載置面の上にのせておくことができる。
【００１９】
なお、医療検査用枕において、頭載置部の左右方向の横幅、頭載置部のうち被検査者の後頭部がのる部分の底面からの高さ、左右の各腕載置部の左右方向の横幅、左右の上腕載置面の傾斜面に沿った前後方向の長さ、左右の前腕載置面の傾斜面に沿った前後方向の長さが、上述の寸法に限定されるものでなく、被検査者の体格に応じて変更可能であり、検査装置のガントリのボアと干渉しない寸法であれば良いことは、勿論である。
【００２０】
頭載置部を、例えば、低反発弾性フォームや高分子ゲル等によって形成することが可能である。また、腕載置部を、例えば、低反発弾性フォームや高分子ゲル等によって形成することも可能である。かかる素材によって、少なくとも頭載置部や腕載置部を形成することにより、頭載置部は、被検査者の頭の形状に応じて変形し、腕載置部も、被検査者の腕の形状に応じて変形し、被検査者は求められる姿勢を楽にとって維持することができる。
【００２１】
さらに、頭載置部や腕載置部を形成する素材は、通気性を有することが好ましい。頭載置部や腕載置部を形成する素材が通気性を有することによって、汗の蒸れ等による不快感を防止することができる。
なお、頭載置部や腕載置部を形成する素材が、低反発弾性フォームや高分子ゲルに限定されるものでないことは勿論である。頭載置部や腕載置部をタオル地や不織布等によって覆っても良い。
【００２２】
請求項２の考案に係る検査用枕は、請求項１に記載の検査用枕であって、平面部が、前記腕載置部の後端側に設けられており、当該平面部の平面と、前記前腕載置部の傾斜面と、が、連続していることを特徴とする。
前腕載置部の傾斜面に連続して形成された平面部に、両腕上伸姿勢をとる被検査者は、手の甲をのせておくことができる。また、必要に応じて、この平面部に、点滴チューブや三方活栓等の器材を置いておくことができる。
【考案の効果】
【００２３】
上記のような医療検査用枕であるので、医療用検査装置の寝台の天板の上で仰向けになって寝る被検査者にとって、両腕を身長方向上方側に伸ばした姿勢を楽且つ安全にとることが可能となり、両腕を身長方向上方側に伸ばした姿勢を楽且つ安全に維持することも可能となる。
【図面の簡単な説明】
【００２４】
【図１】医療検査用枕の斜視図である。
【図２】医療検査用枕の側面図である。
【図３】医療検査用枕の前面図である。
【考案を実施するための形態】
【００２５】
本考案に係る医療検査用枕１０を図１〜図３を参照しつつ説明する。
図１〜図３に示すように、医療検査用枕１０は、頭載置部１１、腕載置部１５Ｌ、１５Ｒ、平面部１８を有している。医療検査用枕１０を上から見下ろすと、医療検査用枕１０の前方側に、頭載置部１１、腕載置部１５Ｌ、１５Ｒがあり、医療検査用枕１０の後方側に、平面部１８がある。また、医療検査用枕１０の底面１９は、凹凸のない一枚の平面をなしている。
【００２６】
医療検査用枕１０を前方側から見ると、中央に頭載置部１１をなす窪みがあり、頭載置部１１の左右方向の両側に腕載置部１５Ｌ、１５Ｒがある。頭載置部１１は、医療検査用枕１０の使用者が後頭部をのせる後頭部載置面１２を有し、後頭部載置面１２の後方部分は緩やかな弧を描いて立ち上がっている。そして、頭載置部１１は、通気性を有する低反発弾性フォームによって形成されている。
【００２７】
医療検査用枕１０を前方側から見ると、頭載置部１１の左右方向の横幅は、ｄ１である。例えば、日本人の体格に合わせて、ｄ１＝２０ｃｍとすることが可能である。そして、後頭部載置面１２の前側端における底面１９からの高さは、ｈである。例えば、日本人の体格と、検査装置のガントリのボアのサイズとに合わせて、ｈ＝５ｃｍとすることが可能である。
腕載置部１５Ｌは、上腕載置面１６Ｌをなす傾斜面と、前腕載置面１７Ｌをなす傾斜面と、からなっている。上腕載置面１６Ｌと前腕載置面１７Ｌとは互いに隣接しており、上腕載置面１６Ｌの後端縁部分が、前腕載置面１７Ｌの前端縁部分に連続している。そして、上腕載置面１６Ｌと前腕載置面１７Ｌは、通気性を有する低反発弾性フォームによって形成されている。
【００２８】
上腕載置面１６Ｌをなす傾斜面は、底面１９に対して角度α°で傾斜している。例えば、日本人の体格と、検査装置のガントリのボアのサイズとに合わせて、α°＝４５°とすることが可能である。また、前腕載置面１７Ｌをなす傾斜面は、底面１９に対して角度β°で傾斜している。例えば、日本人の体格と、検査装置のガントリのボアのサイズとに合わせて、β°＝３０°とすることが可能である。角度α°と角度β°との間には、式（１）〜式（３）が成立している。
【００２９】
５５°≧α°≧３５°    ・・・（１）
４０°≧β°≧２０°    ・・・（２）
α°＞β°    ・・・（３）
【００３０】
また、医療検査用枕１０を前方側から見たときに、上腕載置面１６Ｌの左右方向の横幅と、前腕載置面１７Ｌの左右方向の横幅は、ともにｄ２である。例えば、日本人の体格と、検査装置のガントリのボアのサイズとに合わせて、ｄ２＝１６ｃｍとすることが可能である。
上腕載置面１６Ｌの傾斜面に沿った前後方向の長さは、ｄ３である。例えば、日本人の体格と、検査装置のガントリのボアのサイズとに合わせて、ｄ３＝２３ｃｍとすることが可能である。前腕載置面１７Ｌの傾斜面に沿った前後方向の長さは、ｄ４である。例えば、日本人の体格と、検査装置のガントリのボアのサイズとに合わせて、ｄ４＝２４ｃｍとすることが可能である。
【００３１】
腕載置部１５Ｒは、頭載置部１１をはさんで腕載置部１５Ｌと左右対称に形成されている。腕載置部１５Ｒは、上腕載置面１６Ｌと同様に形成された上腕載置面１６Ｒと、前腕載置面１７Ｌと同様に形成された前腕載置面１７Ｒとを有している。
医療検査用枕１０を上から見下ろすと、平面部１８をなす平面の左側の前端縁部分が、前腕載置面１７Ｌの後端縁部分に連続して連なっている。同様に、平面部１８をなす平面の右側の前端縁部分が、前腕載置面１７Ｒの後端縁部分に連続して連なっている。また、平面部１８をなす平面の中央の前端縁部分が、緩やかな弧を描いて立ち上がっている後頭部載置面１２の後端縁部分に連続して連なっている。
【００３２】
また、医療検査用枕１０を上から見下ろすと、平面部１８をなす平面の前後方向の長さはｄ５である。例えば、ｄ５＝１６ｃｍとすることが可能である。平面部１８をなす平面の左右方向の横幅の長さはｄ６である。例えば、日本人の体格と、検査装置のガントリのボアのサイズとに合わせて、ｄ６＝５２ｃｍとすることが可能である。
以上が、医療検査用枕１０の構成である。
【００３３】
次に、医療検査用枕１０の作用効果について、被検査者がＣＴ検査やＭＲＩ検査等の検査を受ける場合を例にとって説明する。
医療検査用枕１０が、検査装置の寝台３１の天板３２の上に置かれている。このとき、天板３２の表面と、底面１９と、は、互いに平行になっている。そして、被検査者は、天板３２の表面上に仰向けになって寝て、後頭部を頭載置部１１の後頭部載置面１２の上にのせる。
【００３４】
ここで、医療検査用枕１０の前後方向は、被検査者の身長方向と一致している。医療検査用枕１０の前方側が、被検査者の身長方向下方側（すなわち、被検査者の身長方向の脚側の向き）を向いており、医療検査用枕１０の後方側が、被検査者の身長方向上方側（すなわち、被検査者の身長方向の頭側の向き）を向いている。
頭載置部１１を形成する低反発弾性フォームが、被検査者の頭部の形に応じて変形し、被検査者の頭部は、頭載置部１１にしっかりと固定される。頭載置部１１を形成する低反発弾性フォームは、通気性を有しているので、被検査者は、頭部に蒸れ等の不快を感じることはない。
【００３５】
必要に応じて、被検査者は、両腕上伸姿勢をとる。両腕上伸姿勢をとる被検査者は、右上腕を上腕載置面１６Ｌの上にのせ、右肘を軽く外側に曲げ、右前腕を前腕載置面１７Ｌの上にのせる。さらに、被検査者は、右手の甲を平面部１８の上にのせる。同様に、被検査者は、左上腕を上腕載置面１６Ｒの上にのせ、左肘を軽く外側に曲げ、左前腕を前腕載置面１７Ｒの上にのせ、左手の甲を平面部１８の上にのせる。
【００３６】
角度α°と角度β°が式（１）〜式（３）を満足し、上腕載置面１６Ｌ及び前腕載置面１７Ｌの左右方向の横幅ｄ２が、前述の長さを有している。このため、被検査者は、右上腕及び右前腕を腕載置部１５Ｌによって下から支承することができる。そして、肩関節が固い被検査者等であっても、肩関節に負担をかけることなく両腕上伸姿勢を楽にとることができる。
【００３７】
上腕載置面１６Ｌ、１６Ｒ及び前腕載置面１７Ｌ、１７Ｒを形成する低反発弾性フォームが、被検査者の左右の腕の形に応じて変形し、被検査者の両腕は腕載置部１５Ｌ、１５Ｒの上に無理なく楽に、そして、しっかりと固定される。さらに、腕載置部１５Ｌ、１５Ｒを形成する低反発弾性フォームは、通気性を有するので、被検査者が両腕の蒸れ等による不快を感じることはない。
【００３８】
被検査者は、両腕を腕載置部１５Ｌ、１５Ｒの上に置いておきさえすれば、両腕上伸姿勢を長時間にわたって楽に維持することができる。そして、両腕を腕載置部１５Ｌ、１５Ｒによって下から支承することによって、肩や腕に無理な負荷がかかることを容易に防止でき、肩や腕に脱臼等の事故が生じることを容易に防止できる。
被検査者は、天板３２の上に仰向けになって寝たまま、点滴等の処置を受ける必要がある場合もある。このような場合、処置に必要な器具類を平面部１８に置いておくことができる。
【００３９】
以上説明した医療検査用枕１０において、頭載置部１１の左右方向の横幅ｄ１、後頭部載置面１２の前側端の底面１９からの高さｈ、上腕載置面１６Ｌ、１６Ｒの左右方向の横幅ｄ２、前腕載置面１７Ｌ、１７Ｒの左右方向の横幅ｄ２、上腕載置面１６Ｌ、１６Ｒの傾斜面に沿った前後方向の長さｄ３、前腕載置面１７Ｌ、１７Ｒの傾斜面に沿った前後方向の長さｄ４、平面部１８をなす平面の前後方向の長さｄ５、平面部１８をなす平面の左右方向の横幅の長さｄ６として示した数値は、一例であり、これらの数値に限定されるものでないことは勿論である。これらの寸法ｄ１、ｄ２、ｄ３、ｄ４、ｄ５、ｄ６、ｈは、被検査者の体格に応じて変更可能であり、医療検査用枕１０が検査装置のガントリのボアと干渉しない大きさにすれば良い。
【００４０】
また、以上説明した医療検査用枕１０において、角度α°＝４５°、角度β°＝３０°とした。角度α°、β°がこれらの数値に限定されるものではないことは、勿論である。角度α°、β°は、式（１）〜式（３）を満足する他の角度であっても良く、被検査者の体格に応じて数値を選定可能であり、医療検査用枕１０が検査装置のガントリのボアと干渉しない大きさにすれば良い。
医療検査用枕１０の全体をタオル地によって覆っても良い。あるいは、少なくとも、頭載置部１１及び腕載置部１５Ｌ、１５Ｒをタオル地によって覆っても良い。タオル地によって覆うことにより、被検査者は常に清潔な医療検査用枕１０を気持ち良く使うことができる。また、タオル地の代わりに不織布を使っても良い。不織布を使うことにすれば、低廉なコストで、常に新品の不織布によって医療検査用枕１０を覆うことができる。
【００４１】
また、本実施の形態では、医療検査用枕１０が平面部１８を有しているとした。かかる構成の代わりに、医療検査用枕１０が平面部１８を有していないとすることも可能である。
この場合、両腕上伸姿勢をとる被検査者は、両手首から先の部分を宙に浮かせた状態とすることができる。また、前腕載置面１７Ｌ、１７Ｒの傾斜面に沿った前後方向の長さが充分に長ければ、両手首から先の部分を前腕載置面１７Ｌ、１７Ｒの上にのせておくことも可能である。
【産業上の利用可能性】
【００４２】
上記のような医療検査用枕であるので、コンピュータ断層撮影法や核磁気共鳴画像法等の検査技術を用いる医療分野において有用である。
【符号の説明】
【００４３】
１０    医療検査用枕
１１    頭載置部
１２    後頭部載置面
１５Ｌ、１５Ｒ    腕載置部
１６Ｌ、１６Ｒ    上腕載置面
１７Ｌ、１７Ｒ    前腕載置面
１８    平面部
１９    底面
３１    寝台
３２    天板
α°    上腕載置面をなす傾斜面が、医療検査用枕の底面に対して傾斜する確度
β°    前腕載置面をなす傾斜面が、医療検査用枕の底面に対して傾斜する確度
ｄ１    頭載置部の左右方向の横幅
ｄ２    上腕載置面の左右方向の横幅
ｄ２    前腕載置面の左右方向の横幅
ｄ３    上腕載置面の傾斜面に沿った前後方向の長さ
ｄ４    前腕載置面の傾斜面に沿った前後方向の長さ
ｄ５    平面部をなす平面の前後方向の長さ
ｄ６    平面部をなす平面の左右方向の横幅の長さ
ｈ    後頭部載置面の前側端における底面からの高さ
【図１】
0003196496.tif 000003
【図２】
0003196496.tif 000004
【図３】
0003196496.tif 000005